(57)【要約】【課題】カメラを搭載された携帯端末において、コストを抑えつつ、撮影中の被写体の撮影画像を撮影者が確認できるようにする。【解決手段】カメラ搭載携帯電話機１では、レンズ１４０を介して撮像装置１４で受光された画像信号が、適宜変換されて、メイン液晶表示装置１１に表示される。背面サブ液晶表示装置１５は、第一筐体１０において、レンズ１４０と同じ面に設置されている。被写体１７の周囲の明るさが足りない場合、背面サブ液晶表示装置１５の液晶パネルが全白表示され、かつ、当該液晶パネルのバックライトの照度が最大にされて、当該液晶パネルから透過してくる透過光１６が最大照射量とされる。【選択図】        図１
2004187154.tif 000002
【特許請求の範囲】
【請求項１】
筐体と、
被写体を撮影する撮影部と、
前記撮影部により撮影される被写体の画像を表示する表示部と、
前記撮影部による撮影の開始を指示するための開始指示部と、
前記表示部の表示の輝度を制御する輝度制御部とを含むカメラ搭載携帯端末であって、
前記筐体は複数の面を備え、
前記撮影部は、被写体に対向するレンズを備え、
前記表示部は、前記筐体において、前記レンズが設置される面と同じ面に設置される第一の表示部と、当該レンズが設置される面と異なる面に設置される第二の表示部とを備え、
前記輝度制御部は、前記開始指示部によって前記撮影部による撮影の開始が指示されたことに応じて、前記第一の表示部の表示の輝度を上げる、カメラ搭載携帯端末。
【請求項２】
前記第二の表示部に前記撮影部の撮影する画像を表示させることを指定するための表示指定部をさらに含み、
前記輝度制御部は、前記第二の表示部によって前記撮影部の撮影する画像を表示させることを指定されたことを条件として、前記第一の表示部の表示の輝度を上げる、請求項１に記載のカメラ搭載携帯端末。
【請求項３】
筐体と、
被写体を撮影する撮影部と、
前記撮影部により撮影される被写体の画像を表示する第一の表示部と、
前記表示部の表示の輝度を制御する輝度制御部と、
前記撮影部の撮影した画像を記録する記録部と、
前記記録部への画像の記録を指示する記録指示部とを含むカメラ搭載携帯端末であって、
前記筐体は複数の面を備え、
前記撮影部は、被写体に対向するレンズを備え、
前記第一の表示部は、前記筐体において、前記レンズが設置される面と同じ面に設置され、
前記輝度制御部は、前記記録指示部によって前記記録部への画像の記録が指示されたことに応じて、前記第一の表示部の表示の輝度を上げる、カメラ搭載携帯端末。
【請求項４】
前記第一の表示部は、表示画面となる液晶パネルと、前記液晶パネルの光源となるバックライトとを備え、
前記輝度制御部は、前記バックライトの照度を上げ、かつ、前記液晶パネルの表示画面の全面を白色で表示させることにより、前記第一の表示部の表示の輝度を上げる、請求項１〜請求項３のいずれかに記載のカメラ搭載携帯端末。
【請求項５】
筐体と、
被写体を撮影する撮影部と、
前記撮影部により撮影される被写体の画像を表示する第一の表示部とを含むカメラ搭載携帯端末であって、
前記第一の表示部は、表示画面となる液晶パネルと、前記液晶パネルの光源となるバックライトとを備え、
前記筐体は複数の面を備え、
前記撮影部は、被写体に対向するレンズを備え、
前記第一の表示部は、前記筐体において前記レンズが設置される面と同じ面に設置され、
前記バックライトは、前記筐体内に設置され、
前記筐体は、前記第一の表示部および前記レンズが設置される面に、前記第一の表示部とは別に、前記バックライトの発する光を放出するための孔である照明窓を形成されている、カメラ搭載携帯端末。
【請求項６】
前記バックライトの発する光を前記照明窓に向けて集める集光素子をさらに含む、請求項５に記載のカメラ搭載携帯端末。
【請求項７】
前記照明窓を開閉する蓋体と、
被写体の周囲の照度が低い場合には、前記蓋体を開状態とし、被写体の周囲の照度が明るい場合、即ちカメラ撮影において照明が必要ではないには、前記蓋体を閉状態とする蓋体開閉部とをさらに含む、請求項５または請求項６に記載のカメラ搭載携帯端末。
【請求項８】
前記輝度制御部は、被写体の周囲の照度が低い場合には、定常時よりも前記バックライトの照度を上げる、請求項４〜請求項７のいずれかに記載のカメラ搭載携帯端末。
【発明の詳細な説明】
【０００１】
【発明の属する技術分野】
本発明は、カメラ搭載携帯端末に関し、特に、被写体の周囲の照度が低い場合でも撮影を行なえるカメラ搭載携帯端末に関する。
【０００２】
【従来の技術】
従来のカメラ搭載携帯電話機およびカメラ搭載情報端末機には、被写体を撮影する際に照度不足が生じた場合（低照度時）のために、被写体に対する照明源として、カメラ本体に対して脱着可能に構成される外付けフラッシュライトが搭載されるものがあった。なお、近年のこれらの装置には、専用に設けられた白色ＬＥＤ（Ｌｉｇｈｔ  Ｅｍｉｔｔｉｎｇ  Ｄｉｏｄｅ）もしくは３色（赤青緑。以下、ＲＢＧと記す。）ＬＥＤを本体に内蔵され、その白色ＬＥＤもしくは３色（ＲＢＧ）ＬＥＤを撮影時に発光させることで低照度時のカメラ撮影用の照明源とするものもあった。
【０００３】
また、このような装置において、カメラ撮影時において液晶ディスプレイのバックライト光を撮影用の照明源として使用することが、特許文献１および特許文献２において、提案されている。図１３は、特許文献１において開示されている撮像装置を示す図である。また、図１４は、特許文献２において開示されている液晶モニタ付きデジタルカメラの、マクロ撮影を行なう状態の側面図である。
【０００４】
まず、図１３を参照して、撮像装置において、撮像部１０１は、被写体を撮像するための撮影レンズ１０２を備え、撮影レンズ１０２の焦点位置にＣＣＤ等の撮像素子を内蔵している。また、撮像部１０１には、連結部材１０３を介して表示部１０４が装着されている。表示部１０４は、液晶表示器１０５を備え、矢印Ａで示すように、連結部材１０３を回転軸として垂直方向に３６０度回転できる。表示部１０４は、通常撮影時には、ビューファインダとして用いられる。
【０００５】
図１３に示したような構成において、被写体１０６の照度が不十分であるとき、表示部１０４を回転させて液晶表示器１０５のバックライト光１０７を被写体１０６に向けて照射することにより、液晶表示器１０５のバックライト光１０７を照明源として、撮像部１０１により被写体１０６を撮影できる。
【０００６】
次に、図１４に記載された液晶モニタ付きデジタルカメラについて説明する。液晶モニタ付きデジタルカメラ２０１において、マクロ撮影時に使用者がマクロ撮影モードを選択すると、液晶モニタ２０３の液晶画面２０３ａには、ＣＣＤ（ｃｈａｒｇｅ−ｃｏｕｐｌｅｄ  ｄｅｖｉｃｅ）からの画像信号の送信がストップされ、当該液晶画面２０３ａが全面白画面となるような画像データが送られる。これにより、液晶画面２０３ａは、全面白を表示して、白色光を照射する照明源となる。
【０００７】
なお、本体２０２に、連結部材２１０によって、回転軸２１１と回転軸２１２とで連結されている液晶モニタ２０３を回転させることにより、液晶画面２０３ａから照射される白色光の方向を、撮影レンズ２０４の撮影領域を照射するような方向にすることができる。これにより、被写体２５０の撮影領域を所定の照度で均一に照明することが可能となる。
【０００８】
【特許文献１】
特開平８−３４０４７９号公報
【０００９】
【特許文献２】
特開２０００−７５３６３公報
【００１０】
【発明が解決しようとする課題】
しかしながら、外付けタイプのフラッシュライトでは、本体に内蔵されていないことで紛失の原因、または接続部の接触不良等の信頼性的要因による故障もしくは破損、また内蔵白色ＬＥＤと含めて駆動回路等の部品点数が増加し、製造コストがアップするといった問題があった。
【００１１】
また、特許文献１および特許文献２に開示されている内容では、液晶モニタを被写体側に向けて回転させる必要があるため、構造的に複雑となり、これら構造を達成するための構造部品の点数が増え、組立工数アップを含めて製造コストのアップの原因となる。さらに、構造が複雑であるがために故障もしくは破壊・破損の要因になるという問題も考えられる。
【００１２】
また、カメラ撮影用のビューファインダとして使用する液晶モニタのバックライト光を低照度時の撮影用照明として使用することは、液晶表示面を撮影者とは反対側の被写体側に向けて撮影することを意味するため、撮影中は被写体の撮影画像を撮影者が確認することができないために被写体を正確に撮影することが不可能であるといった問題があった。
【００１３】
本発明は、係る実情に鑑み考え出されたものであり、その目的は、カメラを搭載された携帯端末において、コストを抑えつつ、撮影中の被写体の撮影画像を撮影者が確認できるようにすることである。
【００１４】
【課題を解決するための手段】
本発明のある局面に従ったカメラ搭載携帯端末は、筐体と、被写体を撮影する撮影部と、前記撮影部により撮影される被写体の画像を表示する表示部と、前記撮影部による撮影の開始を指示するための開始指示部と、前記表示部の表示の輝度を制御する輝度制御部とを含むカメラ搭載携帯端末であって、前記筐体は複数の面を備え、前記撮影部は、被写体に対向するレンズを備え、前記表示部は、前記筐体において、前記レンズが設置される面と同じ面に設置される第一の表示部と、当該レンズが設置される面と異なる面に設置される第二の表示部とを備え、前記輝度制御部は、前記開始指示部によって前記撮影部による撮影の開始が指示されたことに応じて、前記第一の表示部の表示の輝度を上げることを特徴とする。
【００１５】
また、本発明に従ったカメラ搭載携帯端末は、前記第二の表示部に前記撮影部の撮影する画像を表示させることを指定するための表示指定部をさらに含み、前記輝度制御部は、前記第二の表示部によって前記撮影部の撮影する画像を表示させることを指定されたことを条件として、前記第一の表示部の表示の輝度を上げることが好ましい。
【００１６】
本発明の他の局面に従ったカメラ搭載携帯端末は、筐体と、被写体を撮影する撮影部と、前記撮影部により撮影される被写体の画像を表示する第一の表示部と、前記表示部の表示の輝度を制御する輝度制御部と、前記撮影部の撮影した画像を記録する記録部と、前記記録部への画像の記録を指示する記録指示部とを含むカメラ搭載携帯端末であって、前記筐体は複数の面を備え、前記撮影部は、被写体に対向するレンズを備え、前記第一の表示部は、前記筐体において、前記レンズが設置される面と同じ面に設置され、前記輝度制御部は、前記記録指示部によって前記記録部への画像の記録が指示されたことに応じて、前記第一の表示部の表示の輝度を上げることを特徴とする。
【００１７】
また、本発明に従ったカメラ搭載携帯端末では、前記第一の表示部は、表示画面となる液晶パネルと、前記液晶パネルの光源となるバックライトとを備え、前記輝度制御部は、前記バックライトの照度を上げ、かつ、前記液晶パネルの表示画面の全面を白色で表示させることにより、前記第一の表示部の表示の輝度を上げることが好ましい。
【００１８】
本発明のさらに他の局面に従ったカメラ搭載携帯端末は、筐体と、被写体を撮影する撮影部と、前記撮影部により撮影される被写体の画像を表示する第一の表示部とを含むカメラ搭載携帯端末であって、前記第一の表示部は、表示画面となる液晶パネルと、前記液晶パネルの光源となるバックライトとを備え、前記筐体は複数の面を備え、前記撮影部は、被写体に対向するレンズを備え、前記第一の表示部は、前記筐体において前記レンズが設置される面と同じ面に設置され、前記バックライトは、前記筐体内に設置され、前記筐体は、前記第一の表示部および前記レンズが設置される面に、前記第一の表示部とは別に、前記バックライトの発する光を放出するための孔である照明窓を形成されていることを特徴とする。
【００１９】
また、本発明に従ったカメラ搭載携帯端末は、前記バックライトの発する光を前記照明窓に向けて集める集光素子をさらに含むことが好ましい。
【００２０】
また、本発明に従ったカメラ搭載携帯端末は、前記照明窓を開閉する蓋体と、被写体の周囲の照度が低い場合には、前記蓋体を開状態とし、被写体の周囲の照度が明るい場合、即ちカメラ撮影において照明が必要ではないには、前記蓋体を閉状態とする蓋体開閉部とをさらに含むことが好ましい。
【００２１】
また、本発明に従ったカメラ搭載携帯端末では、前記輝度制御部は、被写体の周囲の照度が低い場合には、定常時よりも前記バックライトの照度を上げることが好ましい。
【００２２】
【発明の実施の形態】
以下、図面を参照しつつ、本発明のカメラ搭載携帯端末の実施の形態であるカメラ搭載携帯電話機について説明する。なお、以下の説明では、同一の部品には、特記された場合を除き、同一の符号が付され、それらの名称および機能も同じである。したがって、それらについての詳細な説明は繰り返さない。
【００２３】
［第１の実施の形態］
図１は、撮影者が本発明の第１の実施の形態であるカメラ搭載携帯電話機を使用して被写体を撮影する状態の一例を側面からとらえた図である。図２は、撮影者が図１のカメラ搭載携帯電話機を使用して撮影者自身を撮影する状態の一例を側面からとらえた図である。図３は、図１のカメラ搭載携帯電話機の背面側の正面図である。図４は、図１のカメラ搭載携帯電話機背面サブ液晶表示装置の構成を示すための図である。図５は、図１のカメラ搭載携帯電話機の制御ブロック図である。図６は、図１のカメラ搭載携帯電話機のメイン液晶表示装置をカメラビューファインダとした場合に実施される撮影処理の制御フローチャートである。図７は、図１のカメラ搭載携帯電話機の背面サブ液晶表示装置をカメラビューファインダとした場合に実施される撮影処理の制御フローチャートである。
【００２４】
カメラ搭載携帯電話機１は、主に、第一筐体１０と第二筐体１８から構成される。第一筐体１０と第二筐体１８は、ヒンジ部２０で結合され、開閉可動が可能である。たとえば、図１または図２に示された状態が、第一筐体１０と第二筐体１８とが開かれた状態であり、一方、図３に示された状態が、これらが閉じられた（折り畳まれた）状態である。
【００２５】
第一筐体１０の内側の面には、第二の表示部であるメイン液晶表示装置１１が備えられている。第一筐体１０の外側すなわちメイン液晶表示装置１１とは反対側の面には、第一の表示部である背面サブ液晶表示装置１５と、Ｃ−ＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサもしくはＣＣＤ（Ｃｈａｒｇｅ  Ｃｏｕｐｌｅｄ  Ｄｉｏｄｅ）センサ等の撮像用受光センサを搭載した撮像装置１４のレンズ１４０が備えられている。撮像装置１４は、レンズ１４０を介して、画像を撮影する。また、第二筐体１８には、操作を行なうためのキー操作部１９を備えている。
【００２６】
背面サブ液晶表示装置１５は、背面サブ液晶パネル２４、サイドライト型のバックライト導光板ユニット２１、および、バックライト導光板ユニット２１の光源であるサブ表示部バックライト用ＬＥＤアレイ２２を含む。カメラ搭載携帯電話機１には、サブ表示部バックライト用ＬＥＤアレイ２２および後述するメイン表示部バックライト用ＬＥＤアレイ４２を駆動するためのＬＣＤ（Ｌｉｑｕｉｄ  Ｃｒｙｓｔａｌ  Ｄｉｓｐｌａｙ）バックライト駆動回路部４５が備えられている。ＬＣＤバックライト駆動回路部４５は、カメラ搭載携帯電話機１全体を制御するＣＰＵ４０によって制御される。ＬＣＤバックライト駆動回路部４５が駆動して、背面サブ液晶パネル２４のバックライトがＯＮされることにより、バックライト光が背面サブ液晶パネル２４を透過し、当該透過光１６が被写体１７に対して照射される。
【００２７】
撮影者１３が、図１に示すように第一筐体１０および第二筐体１８を開き、メイン液晶表示装置１１をカメラビューファインダとしてカメラ画像をモニタする場合、撮像装置１４で受光された画像信号が、カメラ制御部４３にてＲＧＢデータに変換された後、変換後のデータがＣＰＵ４０を介してＬＣＤ制御部４４に送られ、ＬＣＤ制御部４４が、当該変換後のデータに従ってメイン液晶表示装置１１にカメラ画像を表示させる。そして、撮影者１３は、メイン液晶表示装置１１に表示されるカメラ画像を目視１２して、被写体１７を撮影する。
【００２８】
被写体の周囲の明るさが足りない場合（被写体の周囲の照度が低い場合。以下、低照度時の場合と言う）、ユーザはキー操作部１９に対して適宜操作を行なう。これに応じて、ＣＰＵ４０が、ＬＣＤ制御部４４を制御することにより、背面サブ液晶表示装置１５の液晶パネル（背面サブ液晶パネル２４）が全白表示されて当該液晶パネルから透過してくる透過光１６を最大照射量とする。全白表示とは、液晶パネルの全面が白色を表示するよう制御されることを言う。また、撮影者１３によってキー操作部１９に割当てられているシャッターボタンが押下されることに応じて、ＬＣＤバックライト駆動回路４５は、上記透過光１６が最大照射量となるように、サブ表示部バックライト用ＬＥＤアレイ２２に供給される電流量を調整する。シャッターボタンにより、撮影者１３が撮像装置１４により受光された画像をメモリ４１に記録するための記録指示部が構成されている。
【００２９】
このように、液晶パネルが全白表示され、かつ、透過光１６（サブ表示部バックライト用ＬＥＤアレイ２２のバックライトの光）の輝度が上げられることにより、当該透過光１６がカメラ撮影時の照明として利用可能となる。
【００３０】
撮影者１３が、図２に示すように、背面サブ液晶表示装置１５をカメラビューファインダとしてカメラ画像をモニタする場合、撮像装置１４で受光された画像信号が、カメラ制御部４３にてＲＧＢデータに変換された後、変換後のデータがＣＰＵ４０を介してＬＣＤ制御部４４に送られ、そして、ＬＣＤ制御部４４が、当該変換後のデータに従って背面サブ液晶表示装置１５にカメラ画像を表示させる。そして、撮影者１３は、背面サブ液晶表示装置１５に表示されるカメラ画像を目視１２して、被写体１７を撮影する。
【００３１】
周囲の明るさが低照度時の場合、撮影者１３によってキー操作部１９に割り当てられているシャッターボタンが押下されると、それに応じて、ＣＰＵ４０は、ＬＣＤ制御部４４を制御することにより、背面サブ液晶表示装置１５に、上記のようにカメラ画像を表示させるとともに、当該背面サブ液晶表示装置１５の液晶パネル（背面サブ液晶パネル２４）が全白表示されて当該液晶パネルから透過してくる透過光１６を最大照射量とする。つまり、背面サブ液晶表示装置１５がカメラビューファインダとして利用される場合、透過光１６は、カメラ撮影時の照明として利用可能となる。
【００３２】
カメラ搭載携帯電話機１には、一般のカメラ搭載携帯電話機に搭載されている、フリップ開閉検出部４６、モデム４７、コーデック４８、マイク４９、レシーバ５０、無線部５１、および、アンテナ５２が備えられている。これらの動作については周知の技術と同様であるため、説明を繰返さない。
【００３３】
次に、図６および図７のフローチャートを用いて、ＣＰＵ４０が実施する撮影処理の制御内容の説明を行なう。なお、図６は、メイン液晶表示装置１１をカメラビューファインダとした場合に実施される撮影処理であって、図７は、背面サブ液晶表示装置１５をカメラビューファインダとした場合に実施される撮影処理である。
【００３４】
まず、図６を参照して、撮影者１３により、メイン液晶表示装置１１をカメラビューファインダとして撮影を行なうための操作および撮影時に背面サブ液晶表示装置１５をカメラ撮影時の照明として用いるための操作がなされると、ＣＰＵ４０は、ステップ（以下、ステップを省略する）Ｓ１０で、カメラ撮影モードの起動を行なう。
【００３５】
次に、ＣＰＵ４０は、Ｓ１１で、撮像装置１４から取込まれる画像表示データを、メイン液晶表示装置１１に表示させる。
【００３６】
次に、ＣＰＵ４０は、Ｓ１２で、照明設定をＯＮする。つまり、Ｓ１２では、ＣＰＵ４０は、撮影時に背面サブ液晶表示装置１５をカメラ撮影時の照明として用いるための種々の設定を行なう。
【００３７】
次に、Ｓ１３で、サブ表示部バックライト用ＬＥＤアレイ２２のバックライトを点灯させ、かつ、背面サブ液晶表示装置１５の液晶パネル（背面サブ液晶パネル２４）を全白表示として、Ｓ１４に処理を進める。一方、そのような操作が無かったと判断すると、そのままＳ１４に処理を進める。
【００３８】
Ｓ１４では、ＣＰＵ４０は、シャッターボタンが押下されたかどうかの判断し、シャッターボタンが押下されていない場合は、シャッターボタン押下がなされるまでＳ１４の処理を繰り返す。シャッターボタンが押下されたと判断した場合、Ｓ１５で、サブ表示部バックライト用ＬＥＤアレイ２２に供給させる電流を調整することにより、背面サブ液晶表示装置１５のバックライト（サブ表示部バックライト用ＬＥＤアレイ２２のバックライト）の輝度を上昇させて、処理をＳ１６に進める。
【００３９】
次に、ＣＰＵ４０は、Ｓ１６で、シャッターボタンの押下に応じて、撮像装置１４からの画像表示データをメモリ４１に記録する。なお、Ｓ１５で上昇させたバックライトの輝度は、Ｓ１６での画像表示データの取込みが終了した時点で、元の輝度（Ｓ１３での輝度）に戻される。
【００４０】
次に、ＣＰＵ４０は、Ｓ１７で、カメラ撮影モードが終了されたかどうかを判断する。そして、カメラ撮影モードが終了されていない場合は、Ｓ１１へ処理を戻して上記した制御を繰り返す。一方、カメラ撮影モードが終了されたと判断すると、撮像装置１４への電源供給をＯＦＦしてカメラ撮影モードを終了させる。
【００４１】
次に、図７を参照して、撮影者１３により、背面サブ液晶表示装置１５をカメラビューファインダとして撮影を行なうための操作および撮影時に当該背面サブ液晶表示装置１５をカメラ撮影時の照明として用いるための操作がなされると、ＣＰＵ４０は、Ｓ２０で、カメラ撮影モードの起動を行なう。
【００４２】
次に、ＣＰＵ４０は、Ｓ２１で、撮像装置１４から取込まれる画像表示データを、背面サブ液晶表示装置１５に表示させる。
【００４３】
次に、ＣＰＵ４０は、Ｓ２２で、Ｓ１２で、照明設定をＯＮする。つまり、Ｓ１２では、ＣＰＵ４０は、撮影時に背面サブ液晶表示装置１５をカメラ撮影時の照明として用いるための種々の設定を行なう。
【００４４】
次に、Ｓ２３で、サブ表示部バックライト用ＬＥＤアレイ２２のバックライトの輝度を上昇させ、Ｓ２４に処理を進める。一方、そのような操作が無かったと判断すると、そのままＳ２４に処理を進める。
【００４５】
Ｓ２４では、ＣＰＵ４０は、シャッターボタンが押下されたかどうかの判断し、シャッターボタンが押下されていない場合は、シャッターボタン押下がなされるまでＳ２４を繰り返す。シャッターボタンが押下されたと判断した場合、Ｓ２５で、背面サブ液晶表示装置１５の液晶パネル（背面サブ液晶パネル２４）を全白表示させる。
【００４６】
次に、ＣＰＵ４０は、Ｓ２６で、シャッターボタンの押下によって撮像装置１４からの画像表示データをメモリ４１に記録する。そして、Ｓ２５で全白表示させた背面サブ液晶表装置１５の表示内容は、Ｓ２７で、カメラ画像に戻される。
【００４７】
次に、ＣＰＵ４０は、Ｓ２８で、カメラ撮影モードが終了されたかどうかを判断する。そして、カメラ撮影モードが終了されていない場合は、Ｓ２１へ処理を戻して上記した制御を繰り返す。一方、カメラ撮影モードが終了されたと判断すると、撮像装置１４への電源供給をＯＦＦしてカメラ撮影モードを終了させる。
【００４８】
また、以上説明された本実施の形態では、低照明時であるか否かはユーザにより決定され、キー操作部１９に対してユーザが適宜操作を行なうことにより、カメラ搭載携帯電話機１において低照明時であるか否かが認識された。なお、カメラ搭載携帯電話機１に被写体の周囲の照度を検出する手段を備えさせ、当該手段の検出した照度がカメラ搭載携帯電話機１において予め定められた値よりも低い場合を、低照度時としても良い。
【００４９】
［第２の実施の形態］
図８は、撮影者１３が本発明の第２の実施の形態であるカメラ搭載携帯電話機１を使用して被写体を撮影する状態の一例を側面からとらえた図である。図９は、図８のカメラ搭載携帯電話機１の背面側の構成図である。図１０は、図８のカメラ搭載携帯電話機１の背面サブ液晶表示装置の構成図である。図１１は、図８のカメラ搭載携帯電話機１の制御ブロック図である。
【００５０】
本実施の形態のカメラ搭載携帯電話機１は、第１の実施の形態のカメラ搭載携帯電話機１に加えて、低照度時においてカメラ撮影時の照明光照射用の照明窓３０を備えている。
【００５１】
本実施の形態のカメラ搭載携帯電話機１では、バックライト導光板ユニット２１の先端部に、プリズム構造などの光学構造体３１が備えられている。そして、本実施の形態では、光学構造体３１によって、光源であるサブ表示部バックライト用ＬＥＤアレイ２２のバックライトの発する光の中で、バックライト導光板ユニット２１の先端側から放出される光が集光されて、照明窓３０を通って被写体１７に照射される。照明窓３０から照射される光が、低照度環境下でのカメラ撮影時の照明として使用される。
【００５２】
照明窓３０には、当該照明窓３０を開閉可能なフタ３４が備えられている。プリズム構造などの光学構造体３１からの照射されてくる光は、フタ３４が開状態とされることにより、被写体１７に対して光を照射することができる。光学構造体３１からの照射されてくる光は、フタ３４を閉状態とされることにより、被写体１７に対して遮断される。なお、照明窓３０には、レンズ３２が嵌めこまれており、照明窓３０を通る光は、レンズ３２を通ることになる。
【００５３】
本実施の形態のカメラ搭載携帯電話機１には、フタ３４の開閉状態を検出するカバー開閉検出部５３が備えられている。本実施の形態では、フタ３４の開閉を検出することにより、その検知出力に応じて、カメラ撮影用照明のＯＮ／ＯＦＦ切り替えが可能となる。なお、フタ３４の開閉状態に応じて、サブ表示部バックライト用ＬＥＤアレイ２２のバックライトの照度を切り替えることが好ましい。具体的には、フタ３４が開状態にされている場合には、閉状態にされている場合よりも、サブ表示部バックライト用ＬＥＤアレイ２２のバックライトの照度を高くされることが好ましい。
【００５４】
本実施の形態のカメラ搭載携帯電話機１では、メイン液晶表示装置１１がカメラビューファインダとしてカメラ画像をモニタするために使用される場合、撮影者１３は、メイン液晶表示装置１１に、撮像装置１４で受光されかつカメラ制御部４３でＲＧＢデータに変換された画像信号に基づいた画像が表示される。なお、メイン液晶表示装置１１の表示内容は、ＬＣＤ制御部４４によって制御される。そして、撮影者は、メイン液晶表示装置１１において表示されている画像を目視１２して被写体１７の表示状態を確認しながら撮影する。
【００５５】
被写体の周辺が暗い低照度時の場合、フタ３４を開けることで、照明窓３０から照射される光を撮影時の光源とできる。すなわち、ＣＰＵ４０が、ＬＣＤバックライト駆動回路部４５を制御し背面サブ液晶表示装置１５の光源であるサブ表示部バックライト用ＬＥＤアレイ２２を駆動させることで、背面サブ液晶表示装置１５用のバックライト導光板ユニット２１の先端部に設けられた光学構造体３１によって、背面サブ液晶表示装置１５のバックライト光の一部が、被写体１７側に導光される。これにより、背面サブ液晶表示装置１５のバックライト光の一部が、照明窓３０を通って被写体確認用の照明光として被写体１７を照らす。
【００５６】
撮影者１３によってキー操作部１９に割り当てられているシャッターボタンが押下されると背面サブ液晶表示装置１５のバックライト光源である第二表示部バックライト用ＬＥＤアレイ２２の電流調整をＬＣＤバックライト駆動回路部４５によって制御を行い、第二表示部バックライト用ＬＥＤアレイの発光量を上昇させることで、低照度環境下での被写体確認用の照明照度から照度を上昇を行ないカメラ撮影時の照明として使用する。
【００５７】
図１２は、本実施の形態のカメラ搭載携帯電話機１において、メイン液晶表示装置１１をカメラビューファインダとした場合に実施される撮影処理のフローチャートである。
【００５８】
撮影者１３が、メイン液晶表示装置１１をカメラビューファインダとして撮影する旨の操作を行なうと、ＣＰＵ４０は、まず、Ｓ３０で、カメラ搭載携帯電話機１においてカメラ撮影モードの起動させる。
【００５９】
次に、ＣＰＵ４０は、Ｓ３１で、撮像装置１４から取込まれる画像表示データを、メイン液晶表示装置１１に表示させる。
【００６０】
そして、ユーザにより、Ｓ３２で、低照度環境下での撮影ということから、照明窓３０に設けているスライド式のフタ３４が開放される。なお、フタ３４の開閉は、図示しない機構に基づいて、ＣＰＵ４０により制御できる。
【００６１】
次に、ＣＰＵ４０は、Ｓ３３で、カメラ撮影用の照明設定をＯＮ状態にする。なお、Ｓ３３の処理は、カバー開閉検出部５３により、照明窓３０が開状態とされたことが確認されたことを条件として実施される。
【００６２】
次に、ＣＰＵ４０は、Ｓ３４で、シャッターボタンが押下されたかどうかの判断を行ない、シャッターボタンが押下されていない場合は、シャッターボタンが押下されるまでＳ３４を繰り返す。シャッターボタンが押下されたと判断した場合、Ｓ３５で、背面サブ液晶表示装置１５用のバックライト光源であるサブ表示部バックライトＬＥＤアレイ２２に供給する電流を調整し、背面サブ液晶表示装置１５用のバックライトの輝度を上昇させる。
【００６３】
次に、ＣＰＵ４０は、Ｓ３６で、シャッターボタンの押下に応じて、撮像装置１４からの画像表示データをメモリ４１に記録する。
【００６４】
次に、ＣＰＵ４０は、Ｓ３７で、Ｓ３６において取込んだカメラ撮影画像を、一時的に、メイン液晶表示装置１１に表示させ、処理をＳ３８に進める。なお、カメラ撮影画像が一時的に表示された後は、メイン液晶表示装置１１には、Ｓ３１と同様に、カメラ画像が表示される。
【００６５】
次に、ＣＰＵ４０は、Ｓ３８で、カメラ撮影モードが終了されたかどうか判断する。カメラ撮影モードが終了されていないと判断すると、Ｓ３４へ処理を戻し、上記した制御を繰り返す。一方、カメラ撮影モードが終了されたと判断した場合は、撮像装置１４への電源供給をＯＦＦしてカメラ撮影モードを終了させる。
【００６６】
以上説明した各実施の形態において、カメラ搭載携帯端末装置として、カメラを搭載された折り畳み型携帯電話機について説明したが、本発明は、これに限られず、ノート型ＰＣ（パーソナルコンピュータ）、ＰＤＡ（Ｐｅｒｓｏｎａｌ  Ｄｉｇｉｔａｌ  Ａｓｓｉｓｔａｎｃｅ）などであって、筐体において、少なくともカメラのレンズと表示部とが同じ面に設置されているものであれば、本発明は適用可能である。つまり、本発明は、カメラのレンズと同じ面に設置された表示部を、状況に応じて、カメラ撮影の照明として利用することにより、改めて照明のための部材を搭載することを省略できるという利点を有している。
【００６７】
また、本実施の形態では、フタ３４は手動で開閉され、そして、その開閉状態がカバー開閉検出手段５３によって検出されたが、カバー開閉検出手段５３は、フタ３４が所定の構成要素によって開閉される場合でも、当該フタ３４の開閉状態を検出することができる。つまり、カメラ搭載携帯電話機１は、フタ３４を機械的に開閉させる開閉手段を備えていてもよい。さらに、カメラ搭載携帯電話機１は、被写体の周囲の照度を検出する手段を備え、当該手段の検出する照度が所定の値よりも低い場合には、上記した開閉手段が自動的にフタ３４を開状態とするように構成されてもよい。
【００６８】
今回開示された各実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。なお、各実施の形態は、単独でも、また、可能な限り組合せても、適用することができる。
【００６９】
【発明の効果】
本発明のある局面に従うと、レンズと同じ面に設置された第一の表示部の表示部の輝度を上げることにより、第一の表示部を回転等の移動をさせることなく撮影部による撮影の照明と使用でき、そして、撮影者は第二の表示部で撮影中の被写体の撮影画像を確認できる。つまり、カメラ搭載携帯電話機において、照明の機能を有する部材についての複雑な構造を回避してコストを抑えつつ、撮影者に撮影画面を確認させることができる。
【００７０】
本発明の他の局面に従うと、第一の表示部を回転等の移動をさせることなく画像を記録する際の照明と使用でき、そして、撮影者は当該第一の表示部で撮影中の被写体の撮影画像を確認できる。つまり、カメラ搭載携帯電話機において、照明の機能を有する部材についての複雑な構造を回避してコストを抑えつつ、撮影者に撮影画面を確認させることができる。
【００７１】
本発明のさらに他の局面に従うと、レンズと同じ面に形成された照明窓から放出される光を撮影部による撮影の照明と使用でき、そして、撮影者は第一の表示部で撮影中の被写体の撮影画像を確認できる。つまり、カメラ搭載携帯電話機において、照明の機能を有する部材についての複雑な構造を回避してコストを抑えつつ、撮影者に撮影画面を確認させることができる。
【図面の簡単な説明】
【図１】撮影者が本発明の第１の実施の形態であるカメラ搭載携帯電話機を使用して被写体を撮影する状態の一例を側面からとらえた図である。
【図２】撮影者が図１のカメラ搭載携帯電話機を使用して撮影者自身を撮影する状態の一例を側面からとらえた図である。
【図３】図１のカメラ搭載携帯電話機の背面側の正面図である。
【図４】図１のカメラ搭載携帯電話機背面サブ液晶表示装置の構成を示すための図である。
【図５】図１のカメラ搭載携帯電話機の制御ブロック図である。
【図６】図１のカメラ搭載携帯電話機のメイン液晶表示装置をカメラビューファインダとした場合に実施される撮影処理の制御フローチャートである。
【図７】図１のカメラ搭載携帯電話機の背面サブ液晶表示装置をカメラビューファインダとした場合に実施される撮影処理の制御フローチャートである。
【図８】撮影者１３が本発明の第２の実施の形態であるカメラ搭載携帯電話機を使用して被写体を撮影する状態の一例を側面からとらえた図である。
【図９】図８のカメラ搭載携帯電話機の背面側の構成図である。
【図１０】図８のカメラ搭載携帯電話機の背面サブ液晶表示装置の構成図である。
【図１１】図８のカメラ搭載携帯電話機の制御ブロック図である。
【図１２】図８のカメラ搭載携帯電話機において実施される撮影処理の制御フローチャートである。
【図１３】特許文献１において開示されている、従来の撮像装置を示す図である。
【図１４】特許文献２において開示されている、従来の液晶モニタ付きデジタルカメラの、マクロ撮影を行なう状態の側面図である。
【符号の説明】
１  カメラ搭載携帯電話機、１０  第一筐体、１１  メイン液晶表示装置、１２  視線、１３  撮影者、１４  撮像装置、１５  サブ液晶表示装置、１６  照明光、１７  被写体、１８  第二筐体、１９  キー操作部、２０  ヒンジ部、２１  バックライト導光板ユニット、２２  サブ表示部バックライト用ＬＥＤアレイ、２３  液晶パネル保護板、２４  背面サブ液晶パネル、３０  照明窓、３１光学構造体、３２  レンズ、３３  照明光、３４  フタ、４０  ＣＰＵ、４１メモリ、４２  メイン表示部バックライト用ＬＥＤアレイ、４３  カメラ制御部、４４  ＬＣＤ制御部、４５  ＬＣＤバックライト駆動回路部、４６  フリップ開閉検出部、４７  モデム、４８  コーデック、４９  マイク、５０  レシーバ、５１  無線部、５２  アンテナ、５３  カバー開閉検出手段、１４０  レンズ。
【図１】
2004187154.tif 000003
【図２】
2004187154.tif 000004
【図３】
2004187154.tif 000005
【図４】
2004187154.tif 000006
【図５】
2004187154.tif 000007
【図６】
2004187154.tif 000008
【図７】
2004187154.tif 000009
【図８】
2004187154.tif 000010
【図９】
2004187154.tif 000011
【図１０】
2004187154.tif 000012
【図１１】
2004187154.tif 000013
【図１２】
2004187154.tif 000014
【図１３】
2004187154.tif 000015
【図１４】
2004187154.tif 000016